【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
下記の式Ｉ、ＩＩまたはＩＩＩ：
【化１】
2011516649.tif 000001
［式Ｉ中、Ｒ1は、
水素；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−もしくはＣ6−Ｃ12アリーレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；
または、Ｒ1はアルカリもしくはアルカリ土類金属であり、
Ｒ2は、
Ｃ5−Ｃ18シクロアルキル；
直鎖もしくは分岐鎖Ｃ22−Ｃ50アルキル；
Ｃ6−Ｃ12アリールで置換された直鎖もしくは分岐鎖Ｃ22−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’基で置換された直鎖もしくは分岐鎖Ｃ1−Ｃ50アルキル（該直鎖もしくは分岐鎖Ｃ1−Ｃ50アルキルは、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、２，４，４−トリメチルペンチル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、イコシルまたはドコシルである）；
１〜６個の前記基により中断および置換の両方がなされた直鎖もしくは分岐鎖Ｃ2−Ｃ50アルキル；
３，５−ジ−ｔｅｒｔ−ブチル−４−ヒドロキシフェニルで置換された直鎖もしくは分岐鎖Ｃ1−Ｃ50アルキル；
３，５−ジ−ｔｅｒｔ−ブチル−４−ヒドロキシフェニル；
ｎが１〜１００である−（ＣＨ2ＣＨ2Ｏ）n−ＣＨ2ＣＨ2ＯＨ；または、
置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルであり、
Ｒ3は、
水素；
Ｃ5−Ｃ18シクロアルキル；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；または、
置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルであり;
または、Ｒ1およびＲ2、もしくはＲ2およびＲ3は一緒になって、ｎが３〜７の整数である（−ＣＨ2−）n、または、一緒になって１個もしくは２個のフェニレン基で縮環されている（−ＣＨ2−）nであり;
ＲおよびＲ’は独立して、水素または直鎖もしくは分岐鎖Ｃ1−Ｃ12アルキルであり,
ＩＩ及びＩＩＩ式中、Ｒ1およびＲ1’は独立に、
水素；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−もしくはＣ6−Ｃ12アリーレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；
または、Ｒ1およびＲ1’はアルカリもしくはアルカリ土類金属であり、
Ｒ3およびＲ3’は独立に、
水素；
Ｃ5−Ｃ18シクロアルキル；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；または、
置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルであり;
または、Ｒ1およびＲ3、もしくはＲ1’およびＲ3’、または、Ｒ1およびＲ3、ならびにＲ1’およびＲ3’は一緒になって、ｎが３〜７の整数である（−ＣＨ2−）n、あるいは、一緒になって１個もしくは２個のフェニレン基で縮環されている（−ＣＨ2−）nであり;
ＲおよびＲ’は独立して、水素または直鎖もしくは分岐鎖Ｃ1−Ｃ12アルキルであり、
Ｒ4は、
直鎖もしくは分岐鎖Ｃ1−Ｃ50アルキレン；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキレン；
１〜３個の−Ｏ−、−ＮＲ−、−ＣＯＯ−、−ＯＣＯ−、−ＣＯＮＲ−、Ｃ6−Ｃ12アリーレン、もしくはＣ5−Ｃ18シクロアルキレン基で中断された直鎖もしくは分岐鎖Ｃ2−Ｃ50アルキレン；
１〜６個の前記基により中断および置換の両方がなされた直鎖もしくは分岐鎖Ｃ2−Ｃ50アルキレン；
置換されていない、または１〜３個のＣ1−Ｃ6アルキル、−ＯＲ、−ＮＲＲ’、−ＣＯＯＲ、−ＣＯＮＲＲ’もしくはＣ6−Ｃ12アリール基で置換されたＣ5−Ｃ18シクロアルキレン；
１〜３個の−Ｏ−、−ＮＲ−、−ＣＯＯ−、−ＯＣＯ−、−ＣＯＮＲ−またはＣ6−Ｃ12アリーレン基で中断されたＣ5−Ｃ18シクロアルキレン；
１〜６個の前記基により中断および置換の両方がなされたＣ5−Ｃ18シクロアルキレン；
Ｃ6−Ｃ50アルキレンシクロアルキレン；あるいは、
Ｃ6−Ｃ12アリーレンであり、
前記アリールまたはアリーレン基の各々は、置換されていない、あるいは１〜３個の直鎖もしくは分岐鎖Ｃ1−Ｃ12アルキルまたは−ＯＲ基で置換されており;
ｍは２〜１００である］
で表され、且つ下記の化合物：
【化２】
2011516649.tif 000002
は除外されるホスフィン酸化合物。
【請求項２】
前記式Ｉで表される、請求項１に記載の化合物。
【請求項３】
前記Ｒ2は、
直鎖もしくは分岐鎖Ｃ22−Ｃ50アルキル；
Ｃ6−Ｃ12アリールで置換された直鎖もしくは分岐鎖Ｃ22−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’基で置換された直鎖もしくは分岐鎖Ｃ1−Ｃ50アルキル（該直鎖もしくは分岐鎖Ｃ1−Ｃ50アルキルは、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、２，４，４−トリメチルペンチル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、イコシルまたはドコシルである）；または
１〜６個の前記基により中断および置換の両方がなされた直鎖もしくは分岐鎖Ｃ2−Ｃ50アルキル
である請求項１又は２に記載の化合物。
【請求項４】
Ｒ2が、
３，５−ジ−ｔｅｒｔ−ブチル−４−ヒドロキシフェニルで置換された直鎖もしくは分岐鎖Ｃ1−Ｃ50アルキル；または
３，５−ジ−ｔｅｒｔ−ブチル−４−ヒドロキシフェニルであるか、
または、Ｒ2が、置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルである、
請求項１〜３に記載の化合物。
【請求項５】
式ＩＩまたはＩＩＩで表される、請求項１、３または４に記載の化合物。
【請求項６】
式ＩＩまたはＩＩＩで表され、Ｒ3およびＲ3’が、
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
または、Ｒ3およびＲ3’が、置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルである、
請求項１および３〜５のいずれか１項に記載の化合物。
【請求項７】
ポリエステル、およびホスフィン酸化合物を含む組成物であって、
前記ホスフィン酸化合物が、下記の式Ｉ、ＩＩまたはＩＩＩ：
【化３】
2011516649.tif 000003
［式Ｉ中、Ｒ1は、
水素；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−もしくはＣ6−Ｃ12アリーレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；
または、Ｒ1はアルカリもしくはアルカリ土類金属であり、
Ｒ2は、
Ｃ5−Ｃ18シクロアルキル；
直鎖もしくは分岐鎖Ｃ22−Ｃ50アルキル；
Ｃ6−Ｃ12アリールで置換された直鎖もしくは分岐鎖Ｃ22−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’基で置換された直鎖もしくは分岐鎖Ｃ1−Ｃ50アルキル（該直鎖もしくは分岐鎖Ｃ1−Ｃ50アルキルは、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、２，４，４−トリメチルペンチル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、イコシルまたはドコシルである）；
１〜６個の前記基により中断および置換の両方がなされた直鎖もしくは分岐鎖Ｃ2−Ｃ50アルキル；
３，５−ジ−ｔｅｒｔ−ブチル−４−ヒドロキシフェニルで置換された直鎖もしくは分岐鎖Ｃ1−Ｃ50アルキル；
３，５−ジ−ｔｅｒｔ−ブチル−４−ヒドロキシフェニル；
ｎが１〜１００である−（ＣＨ2ＣＨ2Ｏ）n−ＣＨ2ＣＨ2ＯＨ；または、
置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルであり、
Ｒ3は、
水素；
Ｃ5−Ｃ18シクロアルキル；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；または、
置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルであり;
または、Ｒ1およびＲ2、もしくはＲ2およびＲ3は一緒になって、ｎが３〜７の整数である（−ＣＨ2−）n、または、一緒になって１個もしくは２個のフェニレン基で縮環されている（−ＣＨ2−）nであり;
ＲおよびＲ’は独立して、水素または直鎖もしくは分岐鎖Ｃ1−Ｃ12アルキルであり,
ＩＩ及びＩＩＩ式中、Ｒ1およびＲ1’は独立に、
水素；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−もしくはＣ6−Ｃ12アリーレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；
または、Ｒ1およびＲ1’はアルカリもしくはアルカリ土類金属であり、
Ｒ3およびＲ3’は独立に、
水素；
Ｃ5−Ｃ18シクロアルキル；
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
ｎが１〜１００である−（ＣＨ2ＣＨ2Ｏ）n−ＣＨ2ＣＨ2ＯＨ；または、
置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルであり;
または、Ｒ1およびＲ3、もしくはＲ1’およびＲ3’、または、Ｒ1およびＲ3、ならびにＲ1’およびＲ3’は一緒になって、ｎが３〜７の整数である（−ＣＨ2−）n、あるいは、一緒になって１個もしくは２個のフェニレン基で縮環されている（−ＣＨ2−）nであり;
ＲおよびＲ’は独立して、水素または直鎖もしくは分岐鎖Ｃ1−Ｃ12アルキルであり、
Ｒ4は、
直鎖もしくは分岐鎖Ｃ1−Ｃ50アルキレン；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキレン；
１〜３個の−Ｏ−、−ＮＲ−、−ＣＯＯ−、−ＯＣＯ−、−ＣＯＮＲ−、Ｃ6−Ｃ12アリーレン、もしくはＣ5−Ｃ18シクロアルキレン基で中断された直鎖もしくは分岐鎖Ｃ2−Ｃ50アルキレン；
１〜６個の前記基により中断および置換の両方がなされた直鎖もしくは分岐鎖Ｃ2−Ｃ50アルキレン；
置換されていない、または１〜３個のＣ1−Ｃ6アルキル、−ＯＲ、−ＮＲＲ’、−ＣＯＯＲ、−ＣＯＮＲＲ’もしくはＣ6−Ｃ12アリール基で置換されたＣ5−Ｃ18シクロアルキレン；
１〜３個の−Ｏ−、−ＮＲ−、−ＣＯＯ−、−ＯＣＯ−、−ＣＯＮＲ−またはＣ6−Ｃ12アリーレン基で中断されたＣ5−Ｃ18シクロアルキレン；
１〜６個の前記基により中断および置換の両方がなされたＣ5−Ｃ18シクロアルキレン；
Ｃ6−Ｃ50アルキレンシクロアルキレン；あるいは、
Ｃ6−Ｃ12アリーレンであり、
前記アリールまたはアリーレン基の各々は、置換されていない、あるいは１〜３個の直鎖もしくは分岐鎖Ｃ1−Ｃ12アルキルまたは−ＯＲ基で置換されており; 
ｍは２〜１００である］
で表される化合物であることを特徴とする組成物。
【請求項８】
前記ホスフィン酸化合物が前記式Ｉで表される化合物である、請求項１に記載の組成物。
【請求項９】
前記Ｒ2は、
直鎖もしくは分岐鎖Ｃ22−Ｃ50アルキル；
Ｃ6−Ｃ12アリールで置換された直鎖もしくは分岐鎖Ｃ22−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’基で置換された直鎖もしくは分岐鎖Ｃ1−Ｃ50アルキル（該直鎖もしくは分岐鎖Ｃ1−Ｃ50アルキルは、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、２，４，４−トリメチルペンチル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、イコシルまたはドコシルである）；または
１〜６個の前記基（−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基、及び−ＯＲ、−ＮＲＲ’、−ＣＯＯＲ、−ＣＯＮＲＲ’基）により中断および置換の両方がなされた直鎖もしくは分岐鎖Ｃ2−Ｃ50アルキル；
である請求項７又は８に記載の組成物。
【請求項１０】
Ｒ2が、
３，５−ジ−ｔｅｒｔ−ブチル−４−ヒドロキシフェニルで置換された直鎖もしくは分岐鎖Ｃ1−Ｃ50アルキル；または
３，５−ジ−ｔｅｒｔ−ブチル−４−ヒドロキシフェニルであるか、
または、Ｒ2が、置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルである、
請求項７〜９に記載の組成物。
【請求項１１】
式ＩＩまたはＩＩＩで表される、請求項７、９または１０に記載の組成物。
【請求項１２】
式ＩＩまたはＩＩＩで表され、Ｒ3およびＲ3’が、
Ｃ6−Ｃ12アリール；
直鎖もしくは分岐鎖Ｃ1−Ｃ50アルキル；
１〜３個の−Ｏ−、−ＮＲ−、−ＣＯＯ−、−ＯＣＯ−、−ＣＯＮＲ−、Ｃ6−Ｃ12アリーレン、Ｃ5−Ｃ18シクロアルキレンもしくはＣ5−Ｃ18シクロアルケニレン基で中断された直鎖もしくは分岐鎖Ｃ2−Ｃ50アルキル；
１〜３個の−ＯＲ、−ＮＲＲ’、−ＣＯＯＲ、−ＣＯＮＲＲ’もしくはＣ6−Ｃ12アリール基で置換された直鎖もしくは分岐鎖Ｃ1−Ｃ50アルキル；
１〜６個の前記基により中断および置換の両方がなされた直鎖もしくは分岐鎖Ｃ2−Ｃ50アルキルであり、
前記アリールまたはアリーレン基の各々は、置換されていない、あるいは１〜３個の直鎖もしくは分岐鎖Ｃ1−Ｃ12アルキルまたは−ＯＲ基で置換されており；
または、Ｒ3およびＲ3’が、置換されていない、あるいは１〜３個の直鎖もしくは分岐鎖Ｃ1−Ｃ12アルキル、−ＯＲまたは−ＣＯＯＲ基で置換された３−オキソ−１，３−ジヒドロイソベンゾフラン−１−イルである、
請求項７および９〜１１のいずれか１項に記載の組成物。
【請求項１３】
前記ポリエステルが、ポリ（エチレンテレフタレート）、ポリ（エチレン−２，６−ナフタレン−ジカルボキシレート）、またはポリ（１，４−ブチレンテレフタレート）である請求項７〜１２のいずれか１項に記載の組成物。